(57)【要約】本発明は、ベース(2)上方で水平に支持可能な棚(4；4')を介して上部空間(5)から分離された底部空間(6)と、ベースから立ち上がったカバードームとを含み、カバードームが、第2のカバードームセクション(8;8';8'')に対して移動可能な第1のカバードームセクション(7;7';7'')を有し、カバードームセクションが閉鎖位置で上部および底部空間を封入し、カバードームが電子レンジの内側で開き、開放位置で両方の空間へのアクセスを提供することができる、電子レンジ内で加熱すべき物質を支持するために動作可能な容器に関する。2009525451.tif 000003
2009525451.tif 000002
【特許請求の範囲】
【請求項１】
カバードームがベースから立ち上がり、該カバードームが、第2のカバードームセクション(8;8';8'')に対して移動可能な第1のカバードームセクション(7;7';7'')を有し、カバードームセクションが閉鎖位置で上部および底部空間を封入し、カバードームが電子レンジの内側で開き、開放位置で両方の空間(5,6)へのアクセスを提供できることにより特徴づけられる、ベース上方で水平に支持可能な棚(4；4')を介して上部空間(5)から分離された底部空間(6)を含む、電子レンジ内で加熱すべき物質を支持するために動作可能な容器。
【請求項２】
カバードームが、第1のカバードームセクションを第2のカバードームセクションから分離および除去することにより開く、請求項1記載の容器。
【請求項３】
カバードームが、枢動可能にジャーナルされたカバードームセクション(7''；8'')の回転変位により開く、請求項1記載の容器。
【請求項４】
カバードームが、対向する方向から容器の中心に向かって、上部および底部空間へのアクセスを提供するように開放可能である、請求項2または3記載の容器。
【請求項５】
棚がベースに固定接続されたカバードームセクション(14；14')内で支持可能である、請求項1記載の容器。
【請求項６】
2つの旋回カバードームセクション(7''；8'')は、固定カバードームセクション(14')上に連帯してジャーナルされ、固定カバードームセクションの上面上方の開いた重なり位置に向かって反対方向に固定カバードームセクションの外側に半径方向に旋回する、請求項5記載の容器。
【請求項７】
固定カバードームセクション(14；14')がベースの対向するリム部分から立ち上がり、棚の対向するリム部分が固定カバードームセクション上で形成された対応する支持手段(15)と係合することにより棚がベース上方で支持されると、固定カバードームセクションが棚上方で円弧を形成する、請求項6記載の容器。
【請求項８】
固定カバードームセクション上の棚支持手段が、棚の周りの円周方向に延在する制限された長さの一対の溝(16、17)を含み、各溝が固定カバードームセクション(14)の中心を通る対称面から対向する円周方向に延在する、請求項7記載の容器。
【請求項９】
固定カバードームセクション上の棚支持手段が、それぞれ一対のヒール(28)を含み、各ヒール対中のヒールが固定カバードームセクション(14')の中心を通る対称面から対向する円周方向で周辺に分離されている、請求項7記載の容器。
【請求項１０】
固定カバードームセクション(14；14')が、支持手段(15)の上方ならびに下方で、固定カバードームセクションの中心を通る対称面に向かって両方の円周方向に埋め込まれている、請求項7、8または9記載の容器。
【請求項１１】
旋回するカバードームセクション(7''；8'')が、固定カバードームセクション上の対向して配列された支持手段の下方で連帯してジャーナルされる(27)、請求項5〜10のいずれか一項記載の容器。
【請求項１２】
棚が下部ディスク(19)および上部ディスク(20)を含み、上部ディスクが下部ディスク上で自由に回転可能であり、下部および上部ディスクの各々が、ディスク周囲で開口する一対の凹部(21、22)をさらに含み、凹部が対向して配列され、結合位置で底部空間および上部空間の間の連絡を提供するように、かつ非結合位置で底部空間および上部空間の間で封鎖を提供するように、相当するサイズである、前記請求項のいずれか一項記載の容器。
【請求項１３】
上部ディスクが、そのリム部分により下部ディスク上で回転するように誘導され、リム部分が、対向して配列された上部ディスクの凹部の間で周辺に到達し、下部ディスクの対向して配列された凹部の間で周辺に到達する上に向いたリムフランジ(23、24)の内側で半径方向にスライドする、請求項12記載の容器。
【請求項１４】
棚が、カバードームセクションの底部リムをベースの周囲の周りに存在する溝(9)中に挿入することにより、別のベース部材に接続可能なカバードームセクション(8)内で支持可能である、請求項1記載の容器。
【請求項１５】
カバードームセクション(8)が、ベース部材のリム部分中に形成された開口内に挿入可能とされるよう、カバードームセクション上で形成されたラッグ(32)により提供されるヒンジを介してベース部材に枢動可能に接続される、請求項14記載の容器。
【請求項１６】
下側のベースに中心皿穴(30)、ならびに半径方向に外側に配列され中心皿穴と同心円の環状皿穴(31)が形成され、環状皿穴が、電子レンジ回転カートのカートホイール上に存在するように適合される、請求項14または15記載の容器。
【請求項１７】
環状皿穴が、電子レンジ回転ドライブから異なる半径長にあるカートホイールと結合するために特大の半径幅を有する、請求項16記載の容器。
【請求項１８】
棚がカバードームセクション(8)中で支持可能であり、その底部リムが、カバードームセクションと一体形成された開放ベースを提供するように延在する、請求項1記載の容器。
【請求項１９】
カバードームセクション(8)の延在する底部リムが、連続する、または半円、弓形もしくは多角形フレームセクション(33)として形成され、開放ベースを提供する、請求項18記載の容器。
【請求項２０】
カバードームが空気および蒸発液体の循環のための穿孔(29)を有する、前記請求項のいずれか一項記載の容器。
【請求項２１】
プラスチック材料、ガラス、またはマイクロ波透過性軽金属などのマイクロ波透過性材料から作製された、前記請求項のいずれか一項記載の容器。
【発明の詳細な説明】
【技術分野】
【０００１】
技術分野
本発明は電子レンジ内で別のレベルまで加熱すべき物質を支持するために動作可能、および使用可能であり、これにより電子レンジの効率および利用を改善する容器に関する。
【背景技術】
【０００２】
背景および先行技術
電子レンジは、物質、例えば食料品、飲料、液体試薬などを加熱するために、家庭および様々な産業環境において、広く使用されている。家庭用途では、しばしば厄介な制限はオーブン空間のサイズおよび底部領域であり、従来、皿用の単一プレートの平均サイズを満たしている。このように、いくつかの食品部分を加熱するには電子レンジの連続動作が必要であり、食事パーティのメンバーが待つこととなる。同時に、1プレート上の1つの皿は電子レンジの総体積を占めることは滅多になく、ほとんどの場合、頭部空間が使用されないままである。
【０００３】
本発明は、特に、限定はしないが家庭用途で、同時に別々のレベルで電子レンジにおいて物質を加熱し、待ち時間の欠点を減少させ、電子レンジの効率および使用を改善する、容器を提供することを目的とする。
【０００４】
これらの目的は請求項1で列挙した特徴により定義される容器で満たされる。
【発明の開示】
【０００５】
発明の概要
簡単に言うと、本発明により、ベース上方で水平に支持可能な棚を介して上部空間から分離された底部空間と、ベースから立ち上がったカバードームとを含み、カバードームが、第2のカバードームセクションに対して移動可能な第1のカバードームセクションを有し、カバードームセクションが閉鎖位置で上部および底部空間を封入し、該カバードームが電子レンジの内側で開き、開放位置で両方の空間へのアクセスを提供することができる、電子レンジ内で加熱すべき物質を支持するために動作可能な容器が示唆される。
【０００６】
また、本発明によれば、容器は第1のカバードームセクションを第2のカバードームセクションから分離することにより、または枢動可能にジャーナルさせたカバードームセクションを回転変位させることにより開くことができる。
【０００７】
容器の別の特徴および態様は従属特許請求の範囲において列挙される。本発明にそれぞれ追加された例示態様に含まれる詳細は、これらが別個に、または異なる組み合わせで適用されるかどうかに関係なく、本発明の範囲下にあることは、当業者には認識されると思われる。
【０００８】
本発明について、図式的にのみ、異なる態様を示す図面を参照して、より詳細に以下で開示する。
【０００９】
態様の詳細な説明
本出願で言及した容器は、電子レンジ内に挿入可能で、別のレベル、すなわち少なくとも2つの別々のレベルで加熱すべき物質を支持するために配列され、動作させることができ、閉鎖位置では、加熱中に物質を封入し、開放位置では、少なくとも2つのレベルの各々1つへのアクセスを提供する、物品である。容器は、マイクロ波を透過させ、その中のエネルギーを別々のレベルで支持された物質により吸収させる材料より選択された材料から製造される。好ましくは、限定はしないが、容器はポリマまたはプラスチック材料から製造される。別の材料、例えばガラスまたはマイクロ波透過性軽金属でさえも、本発明の容器の全てまたはいくつかの部分に対して使用してもよい。しかしながら、好都合なことに、容器の少なくともいくつかの部分は、加熱すべき物質の視覚モニタリングのために透明にすることができる。
【００１０】
図面を参照すると、本発明の容器はベース2から支持されたカバードーム1を含む。カバードームはベースのリム3から立ち上がり、棚4により上部空間5および底部空間6に分離された空間を封入する。好都合なことに、ベース2、棚4およびカバードームの水平セクションは全て円形形状であるが、カバードームは必ずしもベース上方で半球を形成する必要はない。容器の内のり寸法は、上部および底部空間の各々に平均サイズの皿プレートを収容するように適合され、外のり寸法は電子レンジで使用できる体積に適合される。
【００１１】
当然、本発明は円形構造に限定されるものと理解すべきではなく、他の丸い、楕円または多角形形状でさえも、ベース、棚およびカバードームに使用することができ本発明および本明細書で示した教示を利用することができる。唯一の基準は、容器が平均サイズの電子レンジに適合し、容器に含まれる要素が意図されたように協働することである。
【００１２】
図1および2に示した第1の態様では、カバードーム1は移動可能な、またはより正確には第2のカバードームセクション8から除去可能な第1のカバードームセクション7を含む。どちらのカバードームセクション7および8も、組み立てられた位置で、ベース2の周囲に存在する溝9内に受理されたカバードームセクションの底部リムによりベース2に隣接する。棚4はベース上方で水平に支持可能であり、棚はそれぞれ、棚およびベースにより、図1で示されるように組み立てられた閉鎖位置では、第1および第2のカバードームセクションと共に規定される上部および底部空間5、6を分離する。少なくとも1つのカバードームセクションを分離および除去することにより、図2に示されるように上部および底部空間の両方へのアクセスが提供される。この第1の図示した態様では、棚4はベース上方で、棚上に形成されたラッグ10および11により水平に支持可能であり、ラッグは、カバードームセクション7および8の少なくとも1つ内の実質的に直径方向に対向させた配置で形成された対応する切り欠き12および13に挿入可能である。また、1つまたは両方のカバードームセクションはベース内で解放可能なように支持させてもよく、任意の外側方向から内側体積または容器の中心に向かって、上部および底部空間へのアクセスを提供するように除去可能である。
【００１３】
本発明による容器の第2の態様を図3および4に示す。この第2の態様は、第1および第2のカバードームセクション7'および8'がそれぞれ、ベース2に接続された固定カバードームセクション14から分離可能かつ除去可能であるという点で、第1の態様とは異なる。固定カバードームセクション14はベースの反対側に位置するリム部分から円弧状に立ち上がり、ベースの上方で水平に支持される棚4'上方に到達する。固定カバードームセクション14は、第1および第2の分離可能なカバードームセクション7'および8'が図3に示される、容器の閉鎖位置で組み立てられると、カバードームを完成させるような補助的な形状とされる。カバードームセクション7'および8'の少なくとも1つを固定カバードームセクション14から分離および除去することにより、図4に示されるように上部および底部空間5および6の両方へのアクセスが提供される。
【００１４】
第2の図示した態様では、棚4'は、固定カバードームセクション14上に形成された対応する支持手段15に係合する棚の対向するリム部分によりベース上方で水平に支持される。この目的を達成するために、一対の溝16、17が固定カバードームセクション14上で形成され、棚の挿入可能なリム部分に係合する。各溝16、17は棚に関して円周方向で限定された長さだけ延在し、各溝は反対の円周方向で、または固定カバードームセクション14の中心を通る架空の(図示されていない)対称面の両側に存在する。
【００１５】
図3および4の図示した態様では、各分離可能なカバードームセクション7'、8'は、互いのミラーコピーであり、組立位置では、分割線18を介して固定カバードームセクション14に隣接し、その分割線は容器の開放位置で上部および底部空間5、6に最大アクセスできるように設計される。好都合なことに、固定カバードームセクション14は、図面に示されるように、中心に向かう両方の円周方向に、または固定カバードームセクションの対称面で、支持手段15の上方および下方で埋め込まれてもよい。
【００１６】
この第二の例示的態様では、棚4'は下部ディスク19および上部ディスク20から構成され、上部ディスクは下部ディスクに対し自由に回転可能である。各下部および上部ディスク19、20にはディスク周囲に開口する一対の凹部21、22が形成され、凹部は対向するように配列され、図6で示される結合位置で、上部空間と底部空間5、6の間の連絡を提供するように、非結合位置では、上部空間と底部空間の間で封鎖および分離を提供するように、それ相応のサイズとされる。図4では、上部ディスク20は閉鎖位置に向かって矢印Aの方向に回転させてもよく、この場合、上部ディスクの凹部21、22が下部ディスクにより被覆され、逆もまた同様である。上部ディスク20は上部ディスクのリム部分により下部ディスク19上で回転するように誘導され、すなわち、リム部分が、対向して配列された上部ディスクの凹部21、22の間で周辺に到達し、下部ディスクの対向して配列された凹部の間で周辺に到達する上に向いたリムフランジ23および24の内側で半径方向にスライドする。凹部21、22は、好ましくはディスク周囲で開口する円形切り欠きとして成形され、ベースから上部空間まで到達する物品、例えばグラス、カップまたは瓶などを収容するように結合位置で動作可能である。上部ディスク20を通過する1つまたは複数の穴25を配列させて、指先を挿入することにより下部ディスクに対し回転を促進させてもよい。下部ディスクの上側からわずかに突出するノブ26を都合よく配列させて、凹部の結合位置で解放可能なように上部ディスクを拘束してもよい。
【００１７】
本発明による容器の第3の態様を図5および6に示す。この第3の態様は、第1および第2のカバードームセクション7''および8''が固定カバードームセクション14'に枢動可能にジャーナルされ、個々に、固定カバードームセクション14'に対し回転させることにより変位させることができるという点で第1および第2の態様とは異なる。旋回するカバードームセクション7''および8''は、固定カバードームセクション上に備えられたピボット27上に連帯してジャーナルされてもよく、外側から直径方向に反対向きに延在する。ピボット27はカバードームセクション上に形成されたスルーホールまたはブラインドホール内に到達し、穴はまた、それぞれ、開放および閉鎖において旋回およびスライド動きを合わせるように枢動カバードームセクションを誘導および制御するために、細長い溝とされてもよい。このように、カバードームセクション7''、8''は旋回可能であり、または、図5に示した閉鎖位置から、固定カバードームセクションの上面上方の開いた重なり位置まで、反対方向に固定カバードームセクションの外側に半径方向で旋回可能/スライド可能である。図6では、カバードームセクション7''、8''の1つが、回転され、上部および底部空間5、6へのアクセスが提供される。旋回カバードームセクションは固定カバードームセクションに連帯して、棚4'のための反対に配列された支持手段下方で、ジャーナルされる。
【００１８】
この第3の態様の改良型は、図示した態様のカバードームセクション7''および14'を含む固定カバードームセクションに枢動可能にジャーナルされた単一の旋回カバードームセクション、例えばカバードームセクション8''から構成されるカバーを含んでもよい。
【００１９】
この第3の図示した態様では、棚4'はカバードームセクション14'上に形成された、対で直径方向に反対向きに、固定カバードームセクションの内側から突出しているヒール28(そのうちの1つのみが図6で視認可能である)上に存在している。ヒール28は容器の内部体積を、それぞれ、上部空間および底部空間に分離するのに適したベース2上方の高さで提供される。各対のヒール内のヒール28は、固定カバードームセクションを通る中心または対称面から反対方向に、円周で離される。ヒール28は下方から棚を支持することができ、または、棚の縁、例えば棚4'の下部ディスクの円周縁に形成された、機械加工された凹部または穴/溝または穴/溝の組内に配置される。
【００２０】
全ての態様で、空気および蒸発液体の循環のために穿孔29を配列させてもよい。
【００２１】
図7および8について説明すると、ベース2の下側を、2つの態様で示す。図面から明らかなように、ベースには、ベースの中心位置に配列された中心皿穴30、および/または適当であれば、中心皿穴30の周りに半径方向に外側に、および同心円状に配列された環状皿穴31を形成してもよい。いずれにせよ、ベースは電子レンジの底に備えられるガラスプレート上に、または電子レンジ内で回転するために駆動される回転カートのホイール上に直接存在するように適合される。好都合なことに、環状皿穴31は、電子レンジ回転ドライブからの異なる半径長にあるカートホイールと結合するために特大の半径幅を有してもよい。図7および8で示したベース構造のいずれかを、本明細書で示した3つの態様全てにおいて使用してもよい。
【００２２】
さらに別の態様を、カバードームセクションの1つを取り外しすることにより得られた開放状態で、図9に示す。図9の態様は図1および2の態様と実質的に同じであり、ベース部材上でのカバードームセクションの収容に関してのみ異なる。より詳細には、第1の図示した態様のカバードームセクション7、8は、例えば、電子レンジ回転プレートとすることができる、ベース上に形成された溝9内にその底リムが存在するように示されており、一方、図9のカバードームセクションの少なくとも1つはさらに、別個のベース部材のリム部分に枢動可能にヒンジ留めされる。この目的のために、少なくとも1つのカバードームセクション8はその底部リム近くの領域で形成されたラッグ32を有する。ラッグ32は、結合するドームセクション間の分離線18と角度的に反対に配置されてもよい。結合位置では、ラッグ32はベース部材のリムの対応する領域に形成された開口内に挿入することにより、はめ込まれる。ラッグおよび開口の組み合わせの旋回動作により、棚を支持するカバードーム全体またはカバードームセクション8は、ラッグ32について持ち上げる/または旋回させることができ、例えば、プレートを入れる/除去するために底部空間6へのアクセスを提供することができる。
【００２３】
図1および図2の態様では、カバードームセクション8の1つが、底部リムを有するように示されており、リムは、好ましくは両側に、容器の中心を通る対称軸または半径(図示せず)を超えて到達するように延在させる。設計により、カバードームセクション8は、ベースもしくはベース部材上に、またはテーブルトップ上に、または電子レンジの回転プレート上に、または電子レンジカートホイールキャリッジ上に、およびまたは適当であれば電子レンジの底部に直接、確実に存在することができる。図10に関しては、カバードームセクション8の延在する底部リム部分は完全に延在し、連続する、弓形または半円フレームセクション33内で結合する。フレームセクションの内側では、このように容器の底部空間6が下方に空いている。
【００２４】
弓形フレームセクション33は図10に示されるようにカバードームセクション8と一体形成してもよく、または図11に示されるように着脱可能なように結合させてもよく、この場合、フレームセクション33は組み立てられた状態でカバードームセクションの底部リムを受理する溝9を有するように図示されている。
【００２５】
以上より、本発明の容器は、別個の結合可能な、開放または閉鎖ベース部材として、またはカバードームセクションの1つと一体形成される閉鎖または開放ベースとして実現される可能性のあるベースから支持されるように配列され、または任意で、弓形、または半円、または多角形状さえも有する連続フレームセクションを形成するように延在されるカバードームセクションの1つの底部リムにより実現されることは認識されると思われる。
【００２６】
全ての態様に対する主な利点および共通の特性は、容器が、電子レンジ内に存在したまま、上部および底部空間へのアクセスを同時に提供するように開放可能であることである。このように、容器は、1つまたは両方のレベルのいずれかで加熱するためにオーブン内で利用でき、加熱される皿を容器およびオーブンから取り出さなくても温度チェックが可能である。図示した態様の別の好都合な特徴は、容器を2つの側から開放させることができ、上部および底部空間へのアクセスが望ましい場合、反転の必要性および必要とされる角度回転距離が減少することである。電子レンジ内部での容器の反転を容易にするために、突出構造、例えば、図5および6で図示されているリブなどをベースのリブ上で配列させてもよい。
【００２７】
開示した態様は閉鎖位置で上部および底部空間を実質的に完全に封入するように設計されたカバードームセクションを含むが、1つまたは両方のカバードームセクションは、特許請求の範囲で規定した本発明の範囲から逸脱せずに、上部および底部空間を部分的にのみ封入するように設計してもよいことは理解されると思われる。
【００２８】
本発明の容器は、材料を適当に選択することにより、物質の加熱が望ましい全ての用途、例えば電子レンジ、普通のオーブン、誘導または対流式オーブン内で実施される全ての料理または他の用途で有用であり、動作可能である。図示した容器はまた、加熱用途に使用されなくても、任意の貯蔵用途でも有用である。図示した態様の変形、例えば、寸法の拡大または縮小などは、科学的、工業的、または製造用途にさえも容器を適合させるために、可能である。このように、容器は、それを使用すると技術的利点、時間および空間の節約、人間工学的利点などが付加され、または発生する記述した分野のいずれにおいても有用である。
【００２９】
本発明は、図示した態様を含むように作成された添付の特許請求の範囲により規定され、その改変は全て上記教示から誘導可能である。
【図面の簡単な説明】
【００３０】
【図１】閉鎖位置の第1の態様の容器の斜視図である。
【図２】開放位置の図1の容器を示す図である。
【図３】閉鎖位置の第2の態様の容器の斜視図である。
【図４】開放位置の図3の容器を示す図であり、この中で支持されている棚が、上方ディスクが棚の下方ディスクに対しわずかに回転されて示されている。
【図５】閉鎖位置の第3の態様の容器の斜視図である。
【図６】開放位置の図5の容器を示す図である。
【図７】容器のためのベースの下側を示す図である。
【図８】容器のための別のベースの下側を示す図である。
【図９】開放位置の容器のさらに別の態様を示す図である。
【図１０】同様に、開放位置の本発明のさらに別の態様を示す図である。
【図１１】図10の態様の改良を示す図である。
【図１】
2009525451.tif 000004
【図２】
2009525451.tif 000005
【図３】
2009525451.tif 000006
【図４】
2009525451.tif 000007
【図５】
2009525451.tif 000008
【図６】
2009525451.tif 000009
【図７】
2009525451.tif 000010
【図８】
2009525451.tif 000011
【図９】
2009525451.tif 000012
【図１０】
2009525451.tif 000013
【図１１】
2009525451.tif 000014
【国際調査報告】
2009525451.tif 000015
2009525451.tif 000016
2009525451.tif 000017
2009525451.tif 000018